(57)【要約】【課題】光ディスク装置において、各種記録再生モードをユーザが容易に設定できるようにする。【解決手段】光ディスク装置１の背面にはマスタ／スレーブ設定用のピンが設けられ、このピンをストラップにより短絡することでカスタマイズ可能状態に移行する。システムコントローラ３２は、ピン短絡を検出してカスタマイズ可能状態に移行し、その後イジェクトキーの操作回数に応じてモードを変化させ、かつ光ディスク装置１の正面に設けられたライトＬＥＤ１ｃ及びリードＬＥＤ１ｄの表示状態をＯＦＦ、点滅、ＯＮの間で変化させてモード選択時の各モードを識別する。【選択図】        図１
2004348917.tif 000002
【特許請求の範囲】
【請求項１】
光ディスクを搬送するトレイを排出するためのイジェクトキーと、
前記光ディスクの記録状態を表示する記録状態表示手段と、
前記光ディスクの再生状態を表示する再生状態表示手段と、
を有する光ディスク装置であって、
前記イジェクトキーの操作を検出することにより前記光ディスクの記録再生モードを設定するとともに、前記イジェクトキーの操作回数に応じた設定モードを、前記記録状態表示手段と前記再生状態表示手段の表示態様の変化で表示する制御手段と、
を有することを特徴とする光ディスク装置。
【請求項２】
請求項１記載の装置において、
マスタ／スレーブを切り替えるためのピンと、
を有し、前記制御手段は、前記ピンが短絡状態にある場合に前記イジェクトキーの操作を検出することにより前記光ディスクの記録再生モードを設定するとともに、前記イジェクトキーの操作回数に応じた設定モードを、前記記録状態表示手段と前記再生状態表示手段の表示態様の変化で表示することを特徴とする光ディスク装置。
【請求項３】
請求項２記載の装置において、
前記制御手段は、前記ピンの短絡を検出してから前記イジェクトキーの操作までの時間に応じて異なるモードを設定することを特徴とする光ディスク装置。
【請求項４】
請求項２記載の装置において、
光ディスクが前記トレイに装着されているか否かを検出する検出手段と、
を有し、前記制御手段は、前記光ディスクが前記トレイに装着されていない状態において前記ピンの短絡及びイジェクトキーの操作を検出することにより前記光ディスクの記録再生モードを設定することを特徴とする光ディスク装置。
【請求項５】
請求項１記載の装置において、
前記制御手段は、前記記録再生モードが設定されていることを示す情報を、接続状態にあるホスト装置の表示装置に表示する
ことを特徴とする光ディスク装置。
【請求項６】
光ディスクを搬送するトレイを排出するためのイジェクトキーと、
前記光ディスクへのデータ記録中であることを示すライトＬＥＤと、
前記光ディスクからのデータ再生中であることを示すリードＬＥＤと、
マスタ／スレーブを切り替えるピンと、
前記ピンが短絡状態にある場合に前記イジェクトキーが操作されたときに記録再生モードを設定するコントローラであって、前記イジェクトキーの操作回数に応じて前記記録再生モードの種類を変化させるとともに、前記記録再生モードの種類の変化に応じて前記ライトＬＥＤ及び前記リードＬＥＤをＯＦＦ、点滅、ＯＮの３つの状態の間で変化させるコントローラと、
を有することを特徴とする光ディスク装置。
【請求項７】
請求項６記載の装置において、
前記コントローラは、前記ピンが短絡されてから所定時間内は前記ライトＬＥＤ及びリードＬＥＤを点滅させるとともに、前記点滅期間中に前記イジェクトキーが操作された場合と前記点滅後に前記イジェクトキーが操作された場合とで前記ＯＦＦ、点滅、ＯＮの状態を変化させることを特徴とする光ディスク装置。
【請求項８】
請求項６記載の装置において、
前記コントローラは、前記イジェクトキーの操作時間を検出して短押しか長押しかを判別し、前記イジェクトキーの短押し操作の回数に応じて前記記録再生モードの種類を変化させるとともに、前記イジェクトキーの長押し操作により前記記録再生モードの種類を設定することを特徴とする光ディスク装置。
【発明の詳細な説明】
【０００１】
【発明の属する技術分野】
本発明は光ディスク装置に関し、特にイジェクト操作キーを用いたモード設定に関する。
【０００２】
【従来の技術】
従来より、ＣＤドライブ等において手動操作可能なキーを設けて回転数の調整を行ったり、あるいはイジェクト操作キーを用いて回転数を調整する構成が提案されている。
【０００３】
例えば、下記に示す従来技術では、手動操作可能なキーを設けて回転数を調整するとともに、イジェクト操作キーの押下時間に応じて回転数調整機能とイジェクト機能とを兼用することが記載されている。
【０００４】
【特許文献１】
実用新案登録第３０８４０７５号公報
【０００５】
【発明が解決しようとする課題】
ほとんどの光ディスク装置にはイジェクト操作キーが設けられており、したがってイジェクト操作キーを用いて回転数等の記録再生モードを設定することは効果的である。しかしながら、近年の光ディスクの高機能化に並行してユーザニーズも多様化しており、ユーザはより多様で細かく記録再生特性を設定してカスタマイズしたいと欲する場合も少なくなく、このように多様な機能をカスタマイズする際に容易に設定できる技術が望まれている。
【０００６】
本発明の目的は、ユーザが所望の記録再生モードに容易に設定できる光ディスク装置を提供することにある。
【０００７】
【課題を解決するための手段】
本発明は、光ディスクを搬送するトレイを排出するためのイジェクトキーと、前記光ディスクの記録状態を表示する記録状態表示手段と、前記光ディスクの再生状態を表示する再生状態表示手段とを有する光ディスク装置であって、前記イジェクトキーの操作を検出することにより前記光ディスクの記録再生モードを設定するとともに、前記イジェクトキーの操作回数に応じた設定モードを、前記記録状態表示手段と前記再生状態表示手段の表示態様の変化で表示する制御手段とを有することを特徴とする。本発明では、イジェクトキーの操作回数で複数の記録再生モードを設定するとともに、記録状態表示手段と再生状態表示手段の表示態様で設定モードを互いに識別する。ユーザは、記録状態表示手段及び再生状態表示手段の表示形態を視認しつつ、モードを選択し設定する。
【０００８】
本発明において、マスタ／スレーブを切り替えるためのピンを有し、前記制御手段は、前記ピンが短絡状態にある場合に前記イジェクトキーの操作を検出することにより前記光ディスクの記録再生モードを設定するとともに、前記イジェクトキーの操作回数に応じた設定モードを、前記記録状態表示手段と前記再生状態表示手段の表示態様の変化で表示することが好適である。
【０００９】
また、前記制御手段は、前記ピンの短絡を検出してから前記イジェクトキーの操作までの時間に応じて異なるモードを設定することが好適である。
【００１０】
また、光ディスクが前記トレイに装着されているか否かを検出する検出手段とを有し、前記制御手段は、前記光ディスクが前記トレイに装着されていない状態において前記ピンの短絡及びイジェクトキーの操作を検出することにより前記光ディスクの記録再生モードを設定することが好適である。
【００１１】
また、本発明において、前記制御手段は、前記記録再生モードが設定されていることを示す情報を、接続状態にあるホスト装置の表示装置に表示してもよい。
【００１２】
また、本発明は、光ディスクを搬送するトレイを排出するためのイジェクトキーと、前記光ディスクへのデータ記録中であることを示すライトＬＥＤと、前記光ディスクからのデータ再生中であることを示すリードＬＥＤと、マスタ／スレーブを切り替えるピンと、前記ピンが短絡状態にある場合に前記イジェクトキーが操作されたときに記録再生モードを設定するコントローラであって、前記イジェクトキーの操作回数に応じて前記記録再生モードの種類を変化させるとともに、前記記録再生モードの種類の変化に応じて前記ライトＬＥＤ及び前記リードＬＥＤをＯＦＦ、点滅、ＯＮの３つの状態の間で変化させるコントローラとを有することを特徴とする。
【００１３】
前記コントローラは、前記ピンが短絡されてから所定時間内は前記ライトＬＥＤ及びリードＬＥＤを点滅させるとともに、前記点滅期間中に前記イジェクトキーが操作された場合と前記点滅後に前記イジェクトキーが操作された場合とで前記ＯＦＦ、点滅、ＯＮの状態を変化させることが好適である。
【００１４】
また、前記コントローラは、前記イジェクトキーの操作時間を検出して短押しか長押しかを判別し、前記イジェクトキーの短押し操作の回数に応じて前記記録再生モードの種類を変化させるとともに、前記イジェクトキーの長押し操作により前記記録再生モードの種類を設定してもよい。
【００１５】
【発明の実施の形態】
以下、図面に基づき本発明の実施形態について説明する。
【００１６】
図１には、本実施形態に係る光ディスク装置１の全体構成図が示されている。ＣＤやＤＶＤ等の光ディスク１０はトレイに装着され、スピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。光ディスク１０は、図示しないトレイ排出機構により装置外部に排出され、あるいは装置内部に引き込まれる。
【００１７】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２はオートパワーコントロール回路（ＡＰＣ）２４により駆動電流が所望の値となるように制御される。ＡＰＣ２４は、光ディスク１０のテストエリア（ＰＣＡ）において実行されたＯＰＣ（Ｏｐｔｉｍｕｍ  Ｐｏｗｅｒ  Ｃｏｎｔｒｏｌ）により選択された最適記録パワーとなるようにドライバ２２の駆動電流を制御する。ＯＰＣは、光ディスク１０のＰＣＡに記録パワーを複数段に変化させてテストデータを記録し、該テストデータを再生してその信号品質を評価し、所望の信号品質が得られる記録パワーを選択する処理である。信号品質には、β値やγ値、変調度、ジッタ等が用いられる。
【００１８】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。
【００１９】
アドレス信号の１つの例は、ＣＤ−ＲＷディスクの場合にはウォブル信号であり、光ディスク１０の絶対アドレスを示す時間情報の変調信号で光ディスク１０のトラックをウォブルさせ、このウォブル信号を再生信号から抽出しデコードすることでアドレスデータ（ＡＴＩＰ）を得ることができる。ＤＶＤ−ＲＷディスクの場合にはランドプリピット方式でアドレスデータを得ることができる。ＤＶＤ−ＲＡＭディスクの場合にはＣＡＰＡ（Ｃｏｍｐｌｉｍｅｎｔａｒｙ  Ａｌｌｏｃａｔｅｄ  Ｐｉｔ  Ａｄｒｅｓｓｉｎｇ）方式でアドレスデータを得ることができ、セクタ内に記録されたヘッダ部にアドレスデータが存在する。また、ＲＦ回路２６は、再生ＲＦ信号を２値化回路３４に供給する。２値化回路３４は、再生信号を２値化し、得られたＥＦＭ信号（ＣＤディスク）あるいは８−１６変調信号（ＤＶＤディスク）をエンコード／デコード回路３６に供給する。エンコード／デコード回路３６では、２値化信号をＥＦＭ復調あるいは８−１６復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００２０】
光ディスク１０にデータを記録する際には、ホスト装置からの記録すべきデータはインタフェースＩ／Ｆ４０を介してエンコード／デコード回路３６に供給される。エンコード／デコード回路３６は、記録すべきデータをバッファメモリ３８に格納し、当該記録すべきデータをエンコードしてＥＦＭデータあるいは８−１６変調データとしてライトストラテジ回路４２に供給する。ライトストラテジ回路４２は、ＥＦＭデータを所定の記録ストラテジに従ってマルチパルス（パルストレーン）に変換し、記録データとしてドライバ２２に供給する。記録ストラテジは、例えばマルチパルスにおける先頭パルスのパルス幅や後続パルスのパルス幅、パルスデューティから構成される。記録ストラテジは記録品質に影響することから、通常はある最適ストラテジに固定される。ＯＰＣ時に記録ストラテジを併せて設定してもよい。記録データによりパワー変調されたレーザ光は光ピックアップ１６のＬＤから照射されて光ディスク１０にデータが記録される。データの記録はパケット単位である。パケット単位でデータを記録した後、光ピックアップ１６は再生パワーのレーザ光を照射して当該記録データを再生し、ＲＦ回路２６に供給する。ＲＦ回路２６は再生信号を２値化回路３４に供給し、２値化されたＥＦＭデータあるいは８−１６変調データはエンコード／デコード回路３６に供給される。エンコード／デコード回路３６は、ＥＦＭデータあるいは８−１６変調データをデコードし、バッファメモリ３８に記憶されている記録データと照合する。ベリファイの結果はシステムコントローラ３２に供給される。システムコントローラ３２はベリファイの結果に応じて引き続きデータを記録するか、あるいは交替処理を実行するかを決定する。
【００２１】
システムコントローラ３２は、各部の動作を制御するとともに、インタフェースＩ／Ｆ４０の状態に応じてサーボプロセッサ３０における目標回転速度やトレイ排出速度等の記録再生モードを設定する。インタフェースＩ／Ｆ４０には、トレイを排出するためのイジェクトキーや光ディスク装置１をマスタとして使用するかスレーブとして使用するかを設定するためのピンが含まれ、システムコントローラ３２はピンが短絡されているか否か、及びイジェクトキーが操作されたか否かを検出してモード設定に移行し、イジェクトキーの操作開始時間及び操作回数に応じて各種のモードを設定してフラッシュＲＯＭ３３に記憶する。また、モード設定時には設定されるモードに応じてライトＬＥＤ１ｃ及びリードＬＥＤ１ｄを駆動し、これらのＯＮ、ＯＦＦ状態により現在の設定モードをユーザに報知する。
【００２２】
図２には、光ディスク装置１の正面図（Ａ）及び背面図（Ｂ）が示されている。光ディスク装置１の正面にはトレイ１ａの他にイジェクトキー１ｂ、及びライトＬＥＤ１ｃ及びリードＬＥＤ１ｄが設けられる。通常状態では、イジェクトキー１ｂを操作するとトレイ１ａが排出され、もう一度操作するとトレイ１ａが装置内に引き込まれる。光ディスク１０をトレイ１ａに装着して装置内に引き込んだ後、光ピックアップ１６から再生パワーのレーザ光を照射してデータを再生している場合、システムコントローラ３２はリードＬＥＤ１ｄをＯＮして再生中であることをユーザに表示する。また、光ピックアップ１６から記録パワーのレーザ光を照射してデータを記録する場合、システムコントローラ３２はライトＬＥＤ１ｃをＯＮして記録中であることをユーザに表示する。本実施形態では、後述するようにモード設定時においてライトＬＥＤ１ｃとリードＬＥＤ１ｄを用いて合計８通りのモードを表示する。一方、光ディスク装置１の背面には種々のコネクタとともにマスタ／スレーブ設定用のピン１ｆが設けられている。このピン１ｆに所定のストラップ５０を挿入してピン１ｆを短絡させることで、光ディスク装置１はモード設定可能な状態に移行する。
【００２３】
図３には、本実施形態の処理フローチャートが示されている。まず、システムコントローラ３２は、ストラップ５０が挿入されてピン１ｆが短絡しているか否かを判定する（Ｓ１０１）。ストラップ５０が挿入されてピン１ｆが短絡している場合、モード設定状態に移行してタイマをスタートさせる（Ｓ１０２）。このタイマは、イジェクトキー１ｂの操作開始タイミングを計測するためである。次に、システムコントローラ３２はイジェクトキー１ｂが操作されたか否かを判定し（Ｓ１０３）、イジェクトキー１ｂが操作された場合、その操作開始時間がピン短絡状態から所定時間（例えば５秒）以内であるか否かを判定する（Ｓ１０４）。ピン１ｆを短絡してから所定時間内にイジェクトキー１ｂが操作された場合、システムコントローラ３２はモードＩの設定モードに移行し（Ｓ１０５）、所定時間経過後にイジェクトキー１ｂが操作された場合、システムコントローラ３２はモードＩＩの設定モードに移行する（Ｓ１０６）。
【００２４】
なお、ストラップ５０が挿入されてピン１ｆが短絡され、これによりシステムコントローラ３２がモード設定状態（カスタマイズ可能状態）に移行した場合、ライトＬＥＤ１ｃ及びリードＬＥＤ１ｄをともに点滅させて、ユーザに対してカスタマイズ可能状態に移行したことを知らせることが好適である。
【００２５】
また、ストラップ５０が挿入されてピン１ｆが短絡された場合、システムコントローラ３２は所定時間（例えば５秒）だけライトＬＥＤ１ｃ及びリードＬＥＤ１ｄを点滅させてもよい。２つのＬＥＤがともに点滅している間にイジェクトキー１ｂを操作するとモードＩに移行し、点滅後にイジェクトキー１ｂを操作するとモードＩＩに移行する。これにより、ユーザがどちらのモードに移行したかを容易に識別できる。
【００２６】
また、モードＩ、モードＩＩの区別は便宜上であって、実際には８通りのモード設定を４個のモードずつ２グループに分けたに過ぎない。本実施形態では、モードＩは主に記録再生速度の設定であり、モードＩＩは記録再生に付随する機能の設定に割り当てている。
【００２７】
図４には、図３のＳ１０５におけるモードＩでの設定の詳細フローチャートが示されている。まず、システムコントローラ３２はイジェクトキー１ｂの操作時間を計測してしきい時間と比較し、イジェクトキー１ｂが短押し（例えば１５０ｍｓ）されたか否かを判定する（Ｓ２０１）。なお、この判定ステップは、図３におけるＳ１０３と同一の判定ステップにすることもできる。イジェクトキー１ｂの短押し操作は、モードの選択操作に相当する。イジェクトキー１ｂが短押し操作された場合、次にイジェクトキー１ｂが長押し（例えば１ｓ）操作されたか否かを判定する（Ｓ２０２）。イジェクトキー１ｂの長押し操作は、モードの選択決定操作に相当する。イジェクトキー１ｂが長押し操作された場合、システムコントローラ３２はライトＬＥＤ１ｃ及びリードＬＥＤ１ｄをともにＯＦＦとし（Ｓ２０３）、既設定されフラッシュＲＯＭ３３に記憶されているモードＩの全パラメータをクリアしてデフォルト状態に戻す（Ｓ２０４）。
【００２８】
一方、Ｓ２０２にてイジェクトキー１ｂが長押し操作されず、再び短押し操作されて次のモードが選択され（Ｓ２０５）、続いて長押し操作された場合（Ｓ２０６）、システムコントローラ３２はライトＬＥＤ１ｃはＯＦＦとし、リードＬＥＤ１ｄのみを点滅させ（Ｓ２０７）、光ディスク１０の再生速度を所定量あるいは所定割合だけ低下させる（Ｓ２０８）。具体的には、サーボプロセッサ３０に指令して目標回転速度を低下させ、ＳＰＭ１２による光ディスク１０の回転速度を低下させる。通常は、光ディスク１０の種類に応じた最高速度で再生するが、これによりユーザの所望の速度で再生できる。
【００２９】
また、Ｓ２０６にてイジェクトキー１ｂが長押し操作されず、再び短押し操作されて次のモードが選択され（Ｓ２０９）、続いて長押し操作された場合（Ｓ２１０）、システムコントローラ３２はライトＬＥＤ１ｃを点滅させリードＬＥＤ１ｄをＯＦＦとして（Ｓ２１１）、光ディスク１０がＤＶＤビデオの場合のみ再生速度を所定量あるいは所定割合低下させ、他の光ディスクの場合には再生速度をディスクの種類に応じた最高速度で再生する（Ｓ２１２）。ＤＶＤビデオの場合のみ再生速度を低下させるのは、ＤＶＤビデオ鑑賞時に光ディスク１０を高速回転させたときのノイズ（風切音）を低減するため等である。
【００３０】
また、Ｓ２１０にてイジェクトキー１ｂが長押し操作されず、再び短押し操作されて次のモードが選択され（Ｓ２１３）、続いて長押し操作された場合（Ｓ２１４）、システムコントローラ３２はライトＬＥＤ１ｃ及びリードＬＥＤ１ｄをともに点滅させ（Ｓ２１５）、記録速度を所定量あるいは所定割合低下させる（Ｓ２１６）。具体的には再生速度低下と同様に、サーボプロセッサ３０に指令して目標回転速度を低下させ、ＳＰＭ１２による光ディスク１０の回転速度を低下させる。通常は、光ディスク１０の種類に応じた最高速度でデータを記録するが、これによりユーザの所望の速度で記録できる。
【００３１】
なお、イジェクトキー１ｂの長押しで選択決定されるが、長押しを検出した場合にシステムコントローラ３２がライトＬＥＤ１ｃ及びリードＬＥＤ１ｄをともに所定時間（例えば５秒）だけ点滅させて選択が受け付けられたことをユーザに報知し、所定時間（例えば５秒）経過後に２つのＬＥＤをともにＯＮにしてモードが実際に設定されたことを報知してもよい。システムコントローラ３２はこのタイミングでパラメータをフラッシュＲＯＭ３３に記憶する。ユーザが誤ってイジェクトキー１ｂを長押しした場合、その後の２つのＬＥＤの点滅期間中に再びイジェクトキー１ｂが操作されたときにシステムコントローラ３２は前回の長押し操作をキャンセルしてもよい。
【００３２】
このように、モードを設定する際にライトＬＥＤ１ｃとリードＬＥＤ１ｄの表示状態を変化させることで、ユーザに対して現在どのモードを設定しようとしているのかをユーザが容易に識別することができる。ＬＥＤ１ｃ、１ｄの表示状態をＯＦＦ＝「０」、点滅＝「１」として、イジェクトキー１ｂの操作回数（短押し回数）と表示状態及びモードとの関係をまとめると以下のようになる。
【００３３】
操作回数＝１回：
（ライトＬＥＤ、リードＬＥＤ）＝（０，０）→パラメータクリア
操作回数＝２回：
（ライトＬＥＤ、リードＬＥＤ）＝（０，１）→再生速度低下
操作回数＝３回：
（ライトＬＥＤ、リードＬＥＤ）＝（１，０）→ＤＶＤビデオのみ再生速度低下
操作回数＝４回：
（ライトＬＥＤ、リードＬＥＤ）＝（１，１）→記録速度低下
設定されたモードは、システムコントローラ３２がフラッシュＲＯＭ３３に記憶する。
【００３４】
ＤＶＤビデオの再生速度のみを低下させる場合を例にとってユーザの操作及びシステムコントローラ３２の動作を説明すると以下のようになる。
【００３５】
（１）光ディスク装置１の電源ＯＮ。
【００３６】
（２）ユーザはストラップ５０をピン１ｆに挿入してピン１ｆを短絡させる。
【００３７】
（３）システムコントローラ３２はピン１ｆの短絡状態を検出し、ライトＬＥＤ１ｃ及びリードＬＥＤ１ｄを５秒間だけ点滅させる。
【００３８】
（４）ユーザはライトＬＥＤ１ｃ及びリードＬＥＤ１ｄが点滅している間にイジェクト１ｂを短押しする。
【００３９】
（５）システムコントローラ３２はイジェクトキー１ｂの操作を検出し、モードＩに移行する。
【００４０】
（６）ユーザは合計３回イジェクトキー１ｂを短押しし、その後長押しする。
【００４１】
（７）システムコントローラ３２は、イジェクトキー１ｂの３回の短押し及びその後の長押し操作を検出し、ＤＶＤビデオ再生速度の低下モードを選択するとともにライトＬＥＤ１ｃ及びリードＬＥＤ１ｄを５秒間点滅させる。
【００４２】
（８）システムコントローラ３２は、５秒間の点滅の後、ライトＬＥＤ１ｃ及びリードＬＥＤ１ｄをＯＮさせ、最終的にモードが決定されたとしてＤＶＤビデオ再生速度の低下を示すパラメータをフラッシュＲＯＭ３３に書き込む。５秒間の点滅中、イジェクトキー１ｂの操作を検出した場合、システムコントローラ３２はパラメータをデフォルト値に戻す。その後、ライトＬＥＤ１ｃ及びリードＬＥＤ１ｄをＯＦＦする。
【００４３】
図５には、図３におけるＳ１０６のモードＩＩでの詳細処理フローチャートが示されている。まず、システムコントローラ３２はイジェクトキー１ｂが短押し（例えば１５０ｍｓ）操作されたか否かを判定する（Ｓ３０１）。この判定ステップは、図３におけるＳ１０３と同一の判定ステップにすることもできる。イジェクトキー１ｂが短押し操作された場合、次にイジェクトキー１ｂが長押し（例えば１ｓ）操作されたか否かを判定する（Ｓ３０２）。イジェクトキー１ｂが長押し操作された場合、システムコントローラ３２はライトＬＥＤ１ｃ及びリードＬＥＤ１ｄをともにＯＦＦとし（Ｓ３０３）、既設定されフラッシュＲＯＭ３３に記憶されているモードＩＩの全パラメータをクリアしてデフォルト状態に戻す（Ｓ３０４）。
【００４４】
一方、Ｓ３０２にてイジェクトキー１ｂが長押し操作されず、再び短押し操作されて次のモードが選択され（Ｓ３０５）、続いて長押し操作された場合（Ｓ３０６）、システムコントローラ３２はライトＬＥＤ１ｃはＯＦＦとし、リードＬＥＤ１ｄのみをＯＮ（点灯）させ（Ｓ３０７）、ＤＭＡ（ダイレクトメモリアクセス）の種類を決定する（Ｓ３０８）。具体的には、マルチワードＤＭＡのＯＮ／ＯＦＦである。
【００４５】
また、Ｓ３０６にてイジェクトキー１ｂが長押し操作されず、再び短押し操作されて次のモードが選択され（Ｓ３０９）、続いて長押し操作された場合（Ｓ３１０）、システムコントローラ３２はライトＬＥＤ１ｃをＯＮさせリードＬＥＤ１ｄをＯＦＦとして（Ｓ３１１）、セイフモードのＯＮ／ＯＦＦを設定する（Ｓ３１２）。セイフモードとは、電源をＯＮしたときにトレイを自動的に引き込まないモードである。
【００４６】
また、Ｓ３１０にてイジェクトキー１ｂが長押し操作されず、再び短押し操作されて次のモードが選択され（Ｓ３１３）、続いて長押し操作された場合（Ｓ３１４）、システムコントローラ３２はライトＬＥＤ１ｃ及びリードＬＥＤ１ｄをともにＯＮさせ（Ｓ３１５）、トレイの排出速度を所定量あるいは所定割合低下させる（Ｓ３１６）。これは、例えば８ｃｍディスクの場合に１２ｃｍディスクと同様の速度でトレイを排出するとディスクが飛び出すおそれがあることを考慮したものである。
【００４７】
モードＩＩにおいても、モードを設定する際にライトＬＥＤ１ｃとリードＬＥＤ１ｄの表示状態を変化させることで、ユーザに対して現在どのモードを設定しようとしているのかをユーザが容易に識別することができる。ＬＥＤ１ｃ、１ｄの表示状態をＯＦＦ＝「０」、ＯＮ＝「１」として操作回数（短押し回数）と表示状態及びモードとの関係をまとめると以下のようになる。
【００４８】
操作回数＝１回：
（ライトＬＥＤ、リードＬＥＤ）＝（０，０）→パラメータクリア
操作回数＝２回：
（ライトＬＥＤ、リードＬＥＤ）＝（０，１）→ＤＭＡの種類設定
操作回数＝３回：
（ライトＬＥＤ、リードＬＥＤ）＝（１，０）→セイフモードの設定
操作回数＝４回：
（ライトＬＥＤ、リードＬＥＤ）＝（１，１）→トレイ速度低下
設定されたモードは、システムコントローラ３２がフラッシュＲＯＭ３３に記憶する。
【００４９】
モードＩあるいはモードＩＩで設定した後、ユーザがストラップ５０を抜いてピン１ｆの短絡状態を解除すると、システムコントローラ３２はカスタマイズ可能状態から通常の動作状態に移行し、イジェクトキー１ｂが操作された場合にはトレイの排出／引き込み動作を実行する。
【００５０】
以上のように、本実施形態ではイジェクトキー１ｂの操作タイミングと操作回数により合計８通りのモードが設定可能であり、２つのＬＥＤ１ｃ、１ｄの表示状態を変えることで、これら８通りのモードを互いに識別することができる。
【００５１】
また、本実施形態では、ピン１ｆを短絡させてからイジェクトキー１ｂを操作するまでの時間に応じてモードＩとするかモードＩＩとするかを識別するとともに、ピン１ｆの短絡を検出して所定時間内はライトＬＥＤ１ｃとリードＬＥＤ１ｄをともに点滅させてユーザに対してモードＩとモードＩＩの設定期間を報知することで、ユーザのモード設定を容易化している。
【００５２】
さらに、本実施形態では、モードＩについては２つのＬＥＤのＯＦＦと点滅で４通りの状態を表示し、モードＩＩについては２つのＬＥＤのＯＦＦとＯＮで４通りの状態を表示するため、ユーザのモード設定をさらに容易化している。
【００５３】
なお、本実施形態において、合計８通りのモードは例示にすぎず、任意のモードを割り当てることができる。
【００５４】
また、本実施形態において、システムコントローラ３２は、ピン１ｆが短絡されたときにカスタマイズ可能状態に移行しているが、光ディスク１０がトレイに装着されていない場合にのみカスタマイズ可能状態に移行してもよい。
【００５５】
図６には、この場合の処理フローチャートが示されている。まず、システムコントローラ３２は光ディスク１０がトレイに装着されているか否かを判定する（Ｓ４０１）。この判定には、任意の光学的あるいは物理的センサを用いることができる。光ディスク１０がトレイに装着されている場合、記録再生モードを変更するのは好ましくないとして、たとえストラップ５０が挿入されてピン１ｆが短絡状態にあってもカスタマイズ可能状態に移行しない。一方、光ディスク１０がトレイに装着されていない場合には、記録再生モードを変更しても支障がないと判断し、図３と同様の処理を実行してピン１ｆの短絡によりカスタマイズ可能状態に移行し、イジェクトキー１ｂの操作により各モードを設定する。
【００５６】
また、本実施形態では、モードＩあるいはモードＩＩにより設定されたモードのパラメータはフラッシュＲＯＭ３３に記憶されるが、光ディスク装置１がパーソナルコンピュータ等のホスト装置に接続された場合、ホスト装置のＯＳ（オペレーティングシステム）からの問い合わせコマンド（ｉｄｅｎｔｉｆｙ等）に対してフラッシュＲＯＭ３３にアクセスし、デフォルトのパラメータでないパラメータが設定されている場合には光ディスク装置１は既にカスタマイズされていると認識し、当該問い合わせコマンドに対してカスタマイズ済みを示すコマンドを返してもよい。これにより、ホスト装置では、光ディスク装置１の種類をディスプレイに表示する際、それが標準の光ディスク装置ではなく、カスタマイズされた装置であることを表示できる。表示の一例は、デフォルト状態が「ＤＶ＊＊＊」であるところ、「ＤＶ＊＊＊−ＳＰ」と表示する等である。「ＳＰ」がカスタマイズ済みであることを示す。
【００５７】
【発明の効果】
以上説明したように、本発明によれば、複数種類のモードを設定することができる。また、ユーザは、現在設定しようとするモードを互いに容易に識別することができる。
【図面の簡単な説明】
【図１】光ディスク装置の全体構成図である。
【図２】光ディスク装置の正面図と背面図である。
【図３】実施形態の全体処理フローチャートである。
【図４】モードＩの詳細フローチャートである。
【図５】モードＩＩの詳細フローチャートである。
【図６】実施形態の他の全体処理フローチャートである。
【符号の説明】
１  光ディスク装置、１ｂ  イジェクトキー、１ｃ  ライトＬＥＤ、１ｄ  リードＬＥＤ、１０  光ディスク、３２  システムコントローラ、３３  フラッシュＲＯＭ、４０  インタフェースＩ／Ｆ。
【図１】
2004348917.tif 000003
【図２】
2004348917.tif 000004
【図３】
2004348917.tif 000005
【図４】
2004348917.tif 000006
【図５】
2004348917.tif 000007
【図６】
2004348917.tif 000008